(57)【要約】【課題】減液量を抑制する目的で、排気孔をシートで覆う構成の鉛蓄電池において、シートが排気孔にはりつき、電池内部が減圧状態となって、セル間隔壁の変形や、これによる、漏液や負極ストラップの腐食あるいは電池の容量低下等の不具合を発生させる電解液面の変動を抑制する。【解決手段】シートとして、可撓性を有したものを用い、シートの排気孔を形成した液口栓の天面に対応した部分に、複数のスリットが交差した交差スリットもしくは屈曲部を有した屈曲スリットを設けるとともに、これらスリットに形成される片の液口栓天面方向への撓み変形を許容する間隙部を液口栓天面と、シートとの間に形成する。【選択図】図２
2010267507.tif 000002
【特許請求の範囲】
【請求項１】
正極板と負極板とがセパレータを介して配置され、
同極性の極板耳部がそれぞれ正極ストラップおよび負極ストラップで集合溶接されてなる極板群と、
前記極板群と電解液とを収納するセル室の複数を隔壁で区画形成した電槽と、
前記電槽の開口部に接合した蓋と、
前記セル室に対応して前記蓋に設けた液口に装着されるとともに、前記電槽内のガスを電池外に排出するための排気孔が設けられた液口栓とを有した鉛蓄電池であって、
前記排気孔を覆うよう、粘着剤あるいは接着剤等の接合剤によって、前記蓋に貼り合わされたシートを備え、
前記シートは可撓性を有し、
前記シートと前記蓋の貼り合せ面に、前記接合剤を有さない非接合部を備え、
前記非接合部は、前記蓋と前記シートとの隙間を通して、前記排気孔からの排出ガスを、前記排気孔から離間した位置で電池外に排出するよう形成するとともに、
前記シートの前記液口栓に対向した位置に複数のスリットが互いに交差してなる交差スリットを形成し、
かつ、前記液口栓の天面の、交差する前記スリットによって形成される片に対向する部分を、前記蓋の前記シートとの貼り合せ面よりも陥没させることによって、前記天面と前記シートのとの間に間隙部を設け、
かつ、前記排気孔を前記間隙部に対応した位置に設けたことを特徴とする鉛蓄電池。
【請求項２】
正極板と負極板とがセパレータを介して配置され、
同極性の極板耳部がそれぞれ正極ストラップおよび負極ストラップで集合溶接されてなる極板群と、
前記極板群と電解液とを収納するセル室の複数を隔壁で区画形成した電槽と、
前記電槽の開口部に接合した蓋と、
前記セル室に対応して前記蓋に設けた液口に装着されるとともに、前記電槽内のガスを電池外に排出するための排気孔が設けられた液口栓とを有した鉛蓄電池であって、
前記排気孔を覆うよう、粘着剤あるいは接着剤等の接合剤によって、前記蓋に貼り合わされたシートを備え、
前記シートは可撓性を有し、
前記シートと前記蓋の貼り合せ面に、前記接合剤を有さない非接合部を備え、
前記非接合部は、前記蓋と前記シートとの隙間を通して、前記排気孔からの排出ガスを、前記排気孔から離間した位置で電池外に排出するよう形成するとともに、
前記シートの前記液口栓に対向した位置に屈曲を有した屈曲スリットを形成し、
かつ、前記液口栓の天面の、前記屈曲スリットによって形成される片に対向する部分を、前記蓋の前記シートとの貼り合せ面よりも陥没させることによって、前記天面と前記シートとの間に間隙部を設け、
かつ、前記排気孔を前記間隙部に対応した位置に設けたことを特徴とする鉛蓄電池。
【請求項３】
前記正極ストラップおよび前記負極ストラップとして、アンチモンを含まない鉛もしくは鉛合金を用いることを特徴とする請求項１もしくは請求項２に記載の鉛蓄電池。
【発明の詳細な説明】
【技術分野】
【０００１】
本発明は、鉛蓄電池に関するものである。
【背景技術】
【０００２】
車両のエンジン始動用やバックアップ電源用といった様々な用途に鉛蓄電池が用いられている。その中でも始動用鉛蓄電池は、エンジン始動用セルモータへの電力供給とともに、車両に搭載された各種電気・電子機器へ電力を供給する。エンジン始動後、電池はオルタネータによって充電される。ここで、充電と放電とがバランスし、電池のＳＯＣがほぼ１００％に維持されるよう、オルタネータの出力電圧および出力電流が設定されている。
【０００３】
このような始動用の鉛蓄電池はエンジンルーム内に設置されることが殆どである。したがって、鉛蓄電池の使用温度は４０℃以上、さらには８０℃といった高温になる頻度も高く、鉛蓄電池は過充電傾向で使用される。
【０００４】
鉛蓄電池を過充電した場合、電解液中の水が酸素ガスと水素ガスに分解され電池外に排出されるため、電解液中の水分が減少する。その結果、電解液中の希硫酸濃度が上昇し、正極板の腐食劣化などにより容量低下が進行する。また、電解液面が低下し、極板が電解液より露出した場合には、放電容量の急激な低下や、負極板とストラップとの接続部が腐食するといった問題が発生する。
【０００５】
このように、特に始動用の鉛蓄電池において、電解液中の水分減少（以下、「減液」という）の抑制は重大な問題である。この鉛蓄電池の減液抑制を目的として、正極格子、負極格子ともに鉛−カルシウム系合金を用いた電池が実用化されている。
【０００６】
一方、鉛蓄電池の減液の原因は前記したような水の電気分解によるものと、単に電解液中の水分の一部が蒸発して発生した水蒸気や、電解液がミスト状となって、それぞれ電池外に放出されることによるものがある。なお、始動用の鉛蓄電池では、車両走行中に振動によって電解液面が激しく揺れ動くため、セル室内部では電解液ミストが発生しやすい。また、充電時に発生したガスが電解液面から離脱する際にも、電解液のミストが発生する。
【０００７】
このような、電解液中の蒸発水分や電解液ミストの、電池外への散逸による電解液の減液を抑制するために、液口栓を覆うシートを蓋に粘着剤で貼り付け、液口栓に設けられたガス排気のための排気孔をシートで覆う構成が示されている。
【０００８】
このように、蓋にシートを貼り合わせる構成は、既存の電池に付加的にシートを貼り合わせて実現できるため、非常に簡便であり、減液抑制の効果も高い。
【０００９】
一方、液式の鉛蓄電池において、酸素・水素ガスの発生を完全に防止することはできず、鉛蓄電池を放置あるいは充電するにあたっては必ず酸素・水素ガスの発生が伴っていた。
【００１０】
前記したような、鉛蓄電池を過充電傾向で使用し続けた場合、このような酸素・水素ガスの発生によって、電池内外で圧力差が生じ、電池内の気体が電池外に排出される。その際、この気体の排出と同時に、電池内の水蒸気や電解液ミストの排出も行われ、シート上あるいはシートと蓋との隙間で水や電解液として再び結露することによって、液口栓周囲に微量の電解液あるいは水が滲み出るという現象があった。
【００１１】
また、この滲み出た電解液や水が、蓋とシートの隙間を毛細管現象によって広がり、二蓋とシートとが、これらの電解液・水を介して最終的には、電解液や水が電池外に漏出したり、蓋とシートが密着するために、これら両者の間に貼り付きが発生して、ガスの電池外への排出が妨げられる場合があった。ガスの排出が妨げられた場合、電池内圧が上昇して、電槽やその内部に設けたセル間隔壁が変形する場合があった。このようなセル間隔壁の変形は、隣接するセル室を圧迫してその内容積が低下するため、この隣接するセル室で電解液面が上昇し、電解液が電池外へ漏出する場合があった。
【００１２】
これらの課題を解決するために、特許文献１では、液口に装着した液口栓を覆うシートを蓋に粘着剤で貼り付け、液口栓に設けられたガス排気のための排気孔をシートで覆い、前記排気孔を覆うシートは前記排気孔に対応もしくは近接した位置に、交差していないスリットを形成することが提案されている。
【００１３】
特許文献１で示された構造により、液口栓をシートで覆った構成を有した液式の鉛蓄電池において、蓋とシートとの間の水や電解液の微量の滲出があり、これらが密着した状態で貼り付いた場合においても、交差しないスリットを通過して電池内のガスの電池外への放出が行われることによって、電池内圧の上昇や、これによる電槽の変形を抑制することが可能となった。
【先行技術文献】
【特許文献】
【００１４】
【特許文献１】特開２００８−７１６９２号公報
【発明の概要】
【発明が解決しようとする課題】
【００１５】
ところが、本願発明の発明者らは、特許文献１で示された構造を有する鉛蓄電池において、蓋とシートとの間の微量の結露水や、滲出した微量の電解液等の液体が存在すると、この液体を介して蓋とシートとが貼り付く場合があり、このような状態から、電池温度が低下したり、セル内部に存在する酸素ガスが負極に吸収された場合、セル室の内圧が、大気圧より低い、減圧状態となることを見出した。そして、一旦、減圧状態となると、電池を充電することによって、セル室内でガスを発生させたり、あるいは電池を加温する等の電池内圧を大気圧よりも増大させるような操作を行なうまで、スリットは開かず、減圧状態が維持されることが解ってきた。
【００１６】
なお、特許文献１の図３には、粘着剤がある程度の厚みをもって、シートと液口栓の天面との間に間隙が存在するかに示されるが、実際に特許文献１の鉛蓄電池を作成するにあたり、粘着剤の厚みは５μｍ〜５０μｍ程度であって、実際のシートと液口栓の天面の間の空間は極めて狭小であり、シートと液口栓との貼り付きが発生する。また、シートと液口栓との貼り付きが抑制できる程度に粘着剤の厚みを厚く塗布した場合、シートが蓋より大幅に盛り上がった状態となり、鉛蓄電池を車両等の機器に固定する際のステーとシートとが干渉し、振動やこれによるこすれによって、シートが破れるといった問題もあり、粘着剤の厚みを厚くすることによって、シートと液口栓の天面との貼り付きを防止することは極めて困難であり、現実的ではなかった。
【００１７】
そして、電槽内部を隔壁で複数のセル室に区画した鉛蓄電池において、前記したように、セル室が減圧状態となった場合、セル室間で内圧が均等であることは殆どなく、セル室間での内圧差が、ほぼ不可避的に生じる。このような内圧差によって、セル室を区画する隔壁が、内圧が低い方のセル室に向かって変形するため、セル室の容積に変化が生じことになる。すなわち、内圧の低い方のセル容積はより小となり、内圧の高い方のセル室の容積はより大となる。その結果、電解液面は、内圧のより高いセル室で電解液面は当初の位置より低くなり、内圧のより低いセル室で電解液面は当初の位置より高くなる。
【００１８】
このような電解液面の変化によって、電解液面の高さが所定範囲を超える場合には、電池の耐漏液性能、特に、電池に振動を加えた際の耐漏液性能が急激に低下し、また、電解液面の高さが所定範囲を下回る場合には、ストラップが電解液面からの露出によって腐食し、さらに、極板面が電解液から露出することによって、電池容量が低下するという不具合を生じさせる。
【００１９】
また、前記したような、内圧差による隔壁の変形と電解液面の変動は、一時的なものではなく固定化される。例えば、鉛蓄電池を化成充電した後、この鉛蓄電池を在庫として長期保管した場合がそれに該当する。すなわち、化成充電によって、電池の温度が上昇した後、保管中の電池温度低下によって、シートが液口栓の天面に貼り付いた状態で、スリットも開かないため、セル室内の気体の体積収縮によってセル内圧は大気圧よりも低くなる減圧状態となる。その結果、必然的に生じるセル室間の内圧差が、電池保管中にわたって保持される。
【００２０】
このような状態での電池の保管期間が比較的短期間であれば、電池の使用を開始すると、電池は充電されるため、セル内で発生した酸素ガスおよび水素ガスによって、セル室の内圧は上昇し、蓋とシートとの貼り付きが内圧によって剥離し、また、スリットが開くことによって、セル室の内圧は大気圧に復元し、隔壁の変形も復元する。
【００２１】
一方、電池の保管期間が長期間（例として３ヶ月）にわたると、隔壁の変形は固定化され、電池内圧が大気圧に復元しても、隔壁の変形は復元しないということがわかってきた。
【００２２】
本発明は、前記したような、液口栓をシートで覆った構成を有した液式の鉛蓄電池において、蓋とシートとの間に存在する微量の結露水や電解液によって、蓋とシートとが密着した状態で貼り付いた場合においても、セル室が減圧状態となることを抑制することによって、セル室間の内圧差を抑制し、このような内圧差によって生じる隔壁の変形、あるいは電解液面の変動およびこれによって生じる不具合（漏液や、電解液から露出することによって生じるストラップの腐食、および負極板の酸化劣化による容量低下）を抑制することを目的とするものである。
【課題を解決するための手段】
【００２３】
前記した課題を解決するために、本発明の請求項１に係る発明は、正極板と負極板とがセパレータを介して配置され、同極性の極板耳部がそれぞれ正極ストラップおよび負極ストラップで集合溶接されてなる極板群と、前記極板群と電解液とを収納するセル室の複数を隔壁で区画形成した電槽と、前記電槽の開口部に接合した蓋と、前記セル室に対応して前記蓋に設けた液口に装着されるとともに、前記電槽内のガスを電池外に排出するための排気孔が設けられた液口栓とを有した鉛蓄電池であって、前記排気孔を覆うよう、粘着剤あるいは接着剤等の接合剤によって、前記蓋に貼り合わされたシートを備え、前記シートは可撓性を有し、前記シートと前記蓋の貼り合せ面に、前記接合剤を有さない非接合部を備え、前記非接合部は、前記蓋と前記シートとの隙間を通して、前記排気孔からの排出ガスを、前記排気孔から離間した位置で電池外に排出するよう形成するとともに、前記シートの前記液口栓に対向した位置に複数のスリットが互いに交差してなる交差スリットを形成し、かつ、前記液口栓の天面の、交差する前記スリットによって形成される片に対向する部分を、前記蓋の前記シートとの貼り合せ面よりも陥没させることによって、前記天面と前記シートのとの間に間隙部を設け、かつ、前記排気孔を前記間隙部に対応した位置に設けたことを特徴とする鉛蓄電池を示すものである。
【００２４】
また、本発明の請求項２に係る発明は、本発明の請求項１に係る発明は、正極板と負極板とがセパレータを介して配置され、同極性の極板耳部がそれぞれ正極ストラップおよび負極ストラップで集合溶接されてなる極板群と、前記極板群と電解液とを収納するセル室の複数を隔壁で区画形成した電槽と、前記電槽の開口部に接合した蓋と、前記セル室に対応して前記蓋に設けた液口に装着されるとともに、前記電槽内のガスを電池外に排出するための排気孔が設けられた液口栓とを有した鉛蓄電池であって、前記排気孔を覆うよう、粘着剤あるいは接着剤等の接合剤によって、前記蓋に貼り合わされたシートを備え、前記シートは可撓性を有し、前記シートと前記蓋の貼り合せ面に、前記接合剤を有さない非接合部を備え、前記非接合部は、前記蓋と前記シートとの隙間を通して、前記排気孔からの排出ガスを、前記排気孔から離間した位置で電池外に排出するよう形成するとともに、前記シートの前記液口栓に対向した位置に屈曲した屈曲スリットを形成し、かつ、前記液口栓の天面の、前記屈曲スリットによって形成される片に対向する部分を、前記蓋の前記シートとの貼り合せ面よりも陥没させることによって、前記天面と前記シートとの間に間隙部を設け、かつ、前記排気孔を前記間隙部に対応した位置に設けたことを特徴とする鉛蓄電池を示すものである。
【００２５】
また、本発明の請求項３に係る発明は、請求項１もしくは請求項２の鉛蓄電池において、前記正極ストラップおよび前記負極ストラップとして、アンチモンを含まない鉛もしくは鉛合金を用いることを特徴とする。
【発明の効果】
【００２６】
前記した本発明の構成によれば、減液特性をする目的で、液口栓の排気孔を覆うシートを蓋に貼り合わせた鉛蓄電池において、セル室内が減圧状態となり、かつセル間での内圧がばらつくことを抑制するとともに、これによるセル間の隔壁の変形が顕著に抑制され、これによる電解液面の変動、および電解液面の変動が抑制できるという、顕著な効果を奏する。また、電解液面の変動によってもたらされる、負極ストラップの腐食あるいは電池容量の低下といった不具合を抑制した、信頼性の高い鉛蓄電池を提供できるという、顕著な効果を奏する。
【図面の簡単な説明】
【００２７】
【図１】本発明の第１の実施形態による鉛蓄電池を示す図
【図２】本発明の第１実施形態による鉛蓄電池の断面を示す図
【図３】（ａ）本発明の第１実施形態による他の鉛蓄電池を示す図（ｂ）本発明の第１実施形態による他の鉛蓄電池を示す図
【図４】本発明の第１実施形態による鉛蓄電池の要部断面を示す図
【図５】本発明の第１実施形態による他の鉛蓄電池の要部断面を示す図
【図６】本発明の第１実施形態による他の鉛蓄電池の要部断面を示す図
【図７】本発明の第２の実施形態による鉛蓄電池を示す図
【図８】比較例の鉛蓄電池を示す図
【発明を実施するための形態】
【００２８】
（本発明の第１の実施形態）
以下、本発明の第１の実施形態による鉛蓄電池の構成を説明する。図１は、本発明の実施形態による鉛蓄電池１の天面を示す図、図２は、図１における鉛蓄電池１のＢ−Ｂ′断面を示す図である。また、図４は、図２の一部を拡大した図である。
【００２９】
図２に示したとおり、正極板２、負極格子体を有した負極板３とセパレータ４、および同極性の極板をそれぞれ集合溶接する正極ストラップ９と負極ストラップ１０とからなる極板群８が、鉛蓄電池１の使用を開始する初期状態において、これら正極板２および負極板３の少なくとも極板面全面を浸漬する電解液５を有する。なお、公知のように、減液によって、電解液面は低下して極板面が露出する可能性があり、本発明の鉛蓄電池１においても同様である。しかしながら、少なくとも本発明の鉛蓄電池１および後述する本発明の鉛蓄電池１′は、その使用を開始した、初期状態の時点において、極板面全面が電解液５によって浸漬されている。そして、極板群８と電解液５とが、電槽６のセル室６ａに収納され、電槽６の上部に蓋７が接合されている。なお、正極ストラップ９および負極ストラップ１０も電解液５に浸漬した状態とすることが、これらストラップでの腐食や発熱を抑制する上で好ましい。また、図２に示した例では、正極ストラップ９に極柱１２が接続され、蓋７を貫通する端子１１に接続され、負極ストラップ１０には隔壁６ｂを介して隣接する極板群（図２には現れない。）に接続体１３で接続した構成を示しているが、あくまでも例示であって、極板群８と端子１１との接続構造、あるいは極板群８同士の接続構造は、他の公知の構成を適用できる。
【００３０】
正極格子体および負極格子体ともに、母材は鉛−カルシウム合金を用いることが好ましい。鉛−カルシウム合金は、鉛−アンチモン合金に比較して充電中のガス発生が抑制され、結果として、ガス発生に伴って発生する酸務も抑制されるからである。このような酸務は排気孔２２から排出され、シート２３と後述する液口栓２１の天面２１ｃとの貼り付きが生じやすくなる。このような貼り付きを抑制するためにも、正極および負極の格子には鉛−カルシウム合金を用いることが好ましい。但し、正極格子に関しては、１〜１０質量％程度のアンチモンを含む鉛−アンチモン合金の薄層（厚み１〜３０μｍ程度）を正極格子骨表面に形成したものは、鉛−アンチモン合金製の正極格子に比較して、鉛蓄電池のガス発生量の増大を抑制できるため、鉛−カルシウム合金の正極格子と同等に扱うことができる。
【００３１】
また、同様に、負極ストラップ１０および正極ストラップ９に鉛−スズ合金等の、アンチモンを含まない（但し、０．００２質量％程度の不可避的不純物としてのアンチモンを含んでもよい。）鉛合金を用いることが好ましい。
【００３２】
蓋７には、セル室６ａに対応して液口７ａが設けられ、この液口７ａには、液口栓２１が装着されている。液口栓２１の頭部には、排気孔２２が設けられる。なお、振動によって揺れ動いた電解液５が、直接、排気孔２２に接触することを抑制するため、液口栓２１内に防沫体２１ａを設けてもよい。また、この防沫体２１ａと排気孔２２との間に、従来から知られているような、防爆用のフィルタ２１ｂを設けてもよい。
【００３３】
そして、この排気孔２２の上部を覆うシート２３が、接合剤によって、蓋７に貼り合わされている。なお、シート２３はその全面で蓋７に接合剤によって貼り合わされているのではなく、少なくとも排気孔２２から排出されるガスを大気中に放出できるよう、蓋７とシート２３の貼り合せ面の一部に、接合剤が存在しない、非接合部２３ａを設ける。なお、接合部材は、蓋７の表面あるいはシート２３の表面のどちらに設けても、あるいは双方に設けてもよいが、シート２３の貼り合せ工程での作業性、生産性を考慮して接合部材層を予めシート２３の非接合部２３ａを除く部分に形成することが好ましい。
【００３４】
一例として、図１に示したように、すべての排気孔２２から電池外へのガス排出が行われるよう、例えば、シート２３両側を帯状の接合部で挟まれた、帯状の非接合部２３ａをシート２３の端部まで設け、このシート２３の端部で最終的にガスが大気に排出させる。なお、図１において、シート２３の蓋７との貼り合せ面において、非接合部２３ａを除いた部分、すなわち、接合剤で貼り合わせて固定した部分を斜線部Ａとして示した。なお、シート２３を蓋７に接合する関係上、蓋７の液口７ａの周囲は実質的に同一平面上に形成することが好ましい。
【００３５】
接合剤として、シート２３を蓋７に固定可能な接合力を有した各種の粘着剤あるいは接着剤を用いることができる。また、シート２３は、減液抑制の目的で用いるものであるから、水分、希硫酸分等の液体や、水蒸気の透過を抑制しうる材質のものが用いられ、かつ、可撓性を有したものを用いる。
【００３６】
例えば、ポリプロピレン、ポリエチレン等のフィルムシート、あるいはＰＥＴ樹脂フィルム等が用いられる。接合剤の塗布厚みは、一般的なラベルと同様、１０〜４０μｍ程度であり、これ以上、接合剤の塗布厚みを意図的に厚くすると、シート２３が蓋７より盛り上がり、鉛蓄電池１を固定するためのステー等に干渉し、シート２３に破れが生じる恐れがあるため好ましくない。
【００３７】
図１に示した例では、非接合部２３ａを一本の帯状に配置した例を示したが、排気孔２２から鉛蓄電池１の外部にわたって連続して非接合部２３ａを配置すればよいので、図３（ａ）に示したように、液口栓２１ごとに独立して非接合部２３′ａを形成してもよく、図３（ｂ）に示したように、２つの非接合部２３″ａを形成し、それぞれの非接合部２３″ａが３つの液口栓２１からの排出されるガスを一括して大気に排出するパターンとしもよく、排気孔２２からのガス排出が可能であれば、どのような形成パターンでもよい。
【００３８】
排気孔２２に対向してシート２３を配置することにより、排気孔２２が電池周囲の空気流に暴露されないため、前記したような電池周囲の空気流によって、電池内部の水蒸気や電解液ミストが排気孔２２から吸い出される現象が抑制されるため、電解液中の水分蒸発や電解液ミストの電池外への散逸による、減液が抑制される。
【００３９】
本発明では、図１あるいは図３に示したように、シート２３の液口栓２１に対向した位置に複数のスリット２５ａが交差する、交差スリット２５を設ける。そして、図４に示したように、液口栓２１の天面２１ｃの、少なくともスリット２５ａが交差することによって形成される片２５ｃに対向する部分を蓋７のシート２３との貼り合せ面７ｂよりも陥没させることによって、天面２１ｃとシート２３との間に間隙部２６を設ける。また、液口栓２１の排気孔２２は、この間隙部２６に開口する位置に設ける。
【００４０】
上記した構成により、シート２３の非接合部２３ａにあたる部分が、蓋７の表面に密着し、かつ電池温度が低下する、あるいはセル室６ａ内で酸素ガス吸収反応が行なわれる等、セル室６ａの内圧が大気圧よりも低下した場合、交差するスリット２５ａで形成される片２５ｃが間隙部２６の方向に吸い寄せられるよう、撓んで変形し、このような片２５ｃの撓み変形によって、スリット２５ａが開き、大気がセル室６ａに導入され、セル室６ａの内圧は、大気圧に復元するため、隔壁６ｂが変形するような、セル室６ａ間の内圧差が抑制される。
【００４１】
その結果、特許文献１で示された鉛蓄電池で発生していたような、セル内圧の減圧状態にばらつきが生じて、隔壁が変形することによる電解液面の上昇・低下と、このような電解液面の上昇・低下によってもたらされる、電解液の漏液やストラップの腐食あるいは電池容量の低下といった不具合を抑制できるという、顕著な効果を奏する。
【００４２】
一方、シート２３の非接合部２３ａにあたる部分が、蓋７の表面に密着した状態で、電池温度が上昇する、あるいは電池を充電した際に発生する酸素ガス・水素ガスで、セル室６ａの内圧が、大気圧よりも高い、加圧状態になった場合には、交差するスリット２５ａで形成される片２５ｃが鉛蓄電池１の上方に撓んで変形し、スリット２５ａが開き、セル室６ａ内のガスが大気中に放出するため、セル室６ａの内圧上昇を抑制することができる。
【００４３】
図２および図４に示した例では、液口栓２１の天面２１ｃの一部に陥没部２１ｄを曲面で形成することによって、シート２３と液口栓２１との間に、撓んだ片２５ｃを収納するための間隙部２６を形成した例を示したが、図５に示したように、陥没部２１′ｄを天面２１ｃから階段状に陥没した形状としてもよい。また、図４や図５に示したように、天面２１ｃの一部に陥没部２１ｄ，２１′ｄを設けるのではなく、図６に示したように、天面２１ｃ全体を、蓋７のシート２３との貼り合せ面７ｂから陥没させることによって、深さ寸法ｈの間隙部２６を形成してもよい。
【００４４】
また、間隙部２６は、セル室６ａの内圧が過度の減圧状態とならないよう、片２５ｃが撓み変形することによって、セル室６ａの内圧を開放するに必要な深さ寸法ｈを有していればよいので、間隙部２６を形成するために必ずしも陥没部２１ｄ，２１′ｄを設ける必要はなく、例えば、図５に示したように、平面状に形成した液口栓２１の天面２１ｃを蓋７のシート２３との貼り合せ面７ｂより下方に位置させて、深さ寸法ｈを確保してもよい。
【００４５】
なお、深さ寸法ｈは、シート２３の厚みよりも大きく設定することが好ましい。これは間隙部２６に片２５ｃが収納された状態で、スリット２５ａを確実に開かせるためである。したがって、例として、０．０１ｍｍ〜０．５ｍｍ程度の厚みのシート２３を用いた場合、深さ寸法ｈは、０．０１ｍｍを超え、シート２３の厚みよりも大きく設定する。なお、本発明の作用効果を得る上で、深さ寸法ｈの上限を定める必要はないが、液口栓２１の構造設計上の制限から、５．０ｍｍ以下とすることになる。
【００４６】
また、スリット２５ａとしては、例えば、２ｍｍ〜１０ｍｍ長さで形成し、その中点で互いに直角に交差した、十字形状のものを用いることができる。なお、例示したスリット２５ａの形成および交差パターン、寸法等は、本発明のスリット２５ａの機能を損なわない範囲で改変できるが、第１の実施形態においては、スリット２５ａの少なくとも２本が交差することによって、撓み変形時にスリット２５ａが開くよう形成する。なお、先に例示したスリット２５ａの寸法は、液口栓２１の天面２１ｃ内に包含される寸法とすることができる。
【００４７】
特許文献１のように、スリットが交差しない場合、セル内が減圧状態となってもスリットが開かないため、減圧状態は解消されず、本発明の効果を得ることができない。
【００４８】
また、スリット２５ａを互いに交差して形成しても、間隙部２６がない場合は、片２５ｃは下方に撓み変形できないため、スリットは開かず、減圧状態は解消しないため、本発明の効果を得ることはできない。
【００４９】
したがって、本発明の第１の実施形態においては、本発明の効果を得る上で、スリット２５ａの複数が交差して、片２５ｃを形成し、かつ、片２５ｃが下方に撓み変形できるよう、間隙部２６を形成することが必要である。
【００５０】
（本発明の第２の実施形態）
本発明の第２の実施形態による鉛蓄電池１′は、本発明の第１の実施形態による鉛蓄電池１のスリット２５ａに替えて、図７に示したような屈曲を有した屈曲スリット２５′を形成したものであり、その他の構成は、前記した第１の実施形態による鉛蓄電池１の構成と変わるところはない。
【００５１】
屈曲スリット２５′は、その始点と終点を直線で結んだ形状と一致しないため、この直線と屈曲スリット２５′で囲まれる部分が片２５′ｃとなり、片２５′ｃの下部に間隙部２６を配置することによって、第１の実施形態の片２５ｃと同様の作用効果を発揮する。
【００５２】
すなわち、セル室６ａの内圧が減圧方向になった場合には、片２５′ｃが間隙部２６の方向に撓み変形するため、屈曲スリット２５′が開き、セル室６ａの減圧が抑制され、第１の実施形態による鉛蓄電池１と同様、隔壁６ｂの変形による電解液面の変動と、この変動によってもたらされる各種の不具合、例として、電解液の漏液や、負極ストラップ１０の腐食や、あるいは負極板３の酸化劣化による電池容量の低下といった不具合を抑制できるという、顕著な効果を奏する。
【００５３】
また、セル室６ａの内圧が、大気圧よりも高くなった場合には、片２５′ｃは、間隙部２６とは反対方向の上方に撓み変形し、屈曲スリット２５′が開くため、セル室６ａの加圧が解消され、電池内圧の異常上昇を抑制できる。
【００５４】
屈曲スリット２５′の形成パターンとして、図７には、コの字状のものを例示したが、これに限定されることなく、例えばＵ字状、Ｖ字状あるいは円弧状のものであってもよい。屈曲スリット２５′の形成パターンとしては、スリット形成加工にしやすさ等を勘案して適切な形状のものを選択すればよい。また、屈曲スリット２５′の寸法としては、第１の実施形態で述べたような長さ数ｍｍ〜十数ｍｍ程度のものであって、液口栓２１の天面２１ｃの寸法内に包含さる寸法に設定することができる。
【実施例】
【００５５】
前記した、本発明の第１の実施形態による鉛蓄電池１、本発明の第２の実施形態による鉛蓄電池１′および以下に示す比較例の鉛蓄電池を作成し、後述する評価試験によって、本発明の効果を確認した。なお、本発明例および比較例の電池は、ともにＪＩＳ  Ｄ５３０１：２００６（始動用鉛蓄電池）で規定するところの８０Ｄ２６形鉛蓄電池（以下、電池）である。また、実施例１においては、すべての電池の正極板には、鉛−０．０７質量％カルシウム−１．６質量％スズ合金を用いたエキスパンド格子を、負極板には、鉛−０．０７質量％カルシウム−０．３質量％スズ合金を用いたエキスパンド格子を用いた。
【００５６】
極板群の構成は、袋状の微孔性ポリエチレンセパレータ内に負極板を収納した、袋詰めの負極板７枚と、正極板の７枚とを積層した構成であり、正極ストラップおよび負極ストラップとしては、アンチモン含有量が０．００１ｗｔ％未満に制限された、鉛−２．５質量％スズ合金を用いた。また、極柱および接続体については、鉛−２．５質量％アンチモン−０．２質量％砒素合金を用いた。
【００５７】
（本発明例の電池Ａ１）
本発明例の電池Ａ１は、図２および図４に示した、本発明の第１の実施形態による鉛蓄電池である。液口栓２１の天面２１ｃは径２５．０ｍｍの円形であり、円形の中心（天面２１ｃの中心）から５．０ｍｍの円周上から、円形の中心に向かって、深さ寸法ｈが大となる陥没部２１ｄを形成した。陥没した天面２１ｃの中心と、シート２３の蓋７との貼り合せ面からの距離、すなわち深さ寸法ｈの最大値は０．５ｍｍである。また、排気孔２２は、天面２１ｃの中心から２．０ｍｍの位置に径１．０ｍｍで設けられている。
【００５８】
シート２３はＰＥＴ樹脂製の厚み０．１０ｍｍのシートであり、蓋７との接合剤として、アクリルエマルジョン系粘着剤（粘着剤層厚み２０μｍ）を用いた。また、交差スリット２５を形成するスリット２５ａの長さは７．０ｍｍであって、このスリット２５ａの２本がそれぞれの長さ中心で、十字状に互いに直角に交差した構成とした。交差スリット２５の交差した部分は、陥没部２１ｄに対応した位置としており、交差スリット２５の交差した部分から、液口栓２１の天面２１ｃまでの間隙部２６の深さ寸法は、１．０ｍｍである。なお、交差スリット２５は、先端が十字形状のトムソン刃を用いて形成した。
【００５９】
（本発明例の電池Ａ２）
本発明例の電池Ａ２は、電池Ａ１の液口栓２１の天面２１ｃの形状を図５に示した形状としたものであり、その他の仕様は、電池Ａ１と変わらない。
【００６０】
すなわち、天面２１ｃの、シート２３に形成した片２５ｃにかかる部分に、段差を設けて陥没した形状として、シート２３の蓋７との貼り合せ面と、天面２１ｃの陥没を形成した部分の深さ寸法を０．３ｍｍとした。本発明例の電池Ａを天面からみた場合、液口栓２１の天面２１ｃに形成した陥没は、天面２１ｃの中心から半径５ｍｍの円状に現れ、この円周内、すなわち、陥没した部分で形成された間隙部２６に排気孔２２が開口している。
【００６１】
（本発明例の電池Ａ３）
本発明例の電池Ａ３は、前記した本発明例の電池Ａ１および電池Ａ２の液口栓２１の天面２１ｃの形状を図６に示した形状としたものであり、その他の仕様は、電池Ａ１および電池Ａ２と変わらない。
【００６２】
電池Ａ３においては、液口栓２１の天面２１ｃは、平面状に形成され、蓋７のシート２３との貼り合せ面７ｂより、深さ寸法ｈを有して陥没することにより、天面２１ｃとシート２３との間に間隙部２６が形成される。なお、本発明例の電池Ａ３における間隙部２６の深さ寸法ｈは、０．２ｍｍである。
【００６３】
（本発明の電池Ａ４）
本発明の電池Ａ４は、本発明の電池Ａ１で用いた交差スリット２５に替えて、シート２３に、図７で示した、２つの屈曲を有する、コの字状の屈曲スリット２５′を形成したものである。屈曲スリット２５′の寸法は、コの字の高さ寸法が２．０ｍｍとし、コの字の幅寸法を３．０ｍｍとしたものであり、先端コの字状のトムソン刃をシート２３に圧接して形成したものである。
【００６４】
なお、屈曲スリット２５′で形成された片２５′ｃおよび排気孔２２は、間隙部２６に対応した位置に形成され、片２５′ｃは液口栓２１方向に撓み変形することによって、屈曲スリット２５′が開く構成としている。
【００６５】
（本発明の電池Ａ５）
本発明の電池Ａ５は、本発明の電池Ａ２で用いた交差スリット２５に替えて、本発明の電池Ａ４で採用した屈曲スリット２５′をシート２３に形成したものであり、これ以外の仕様は電池Ａ２と変わらない。
【００６６】
（本発明の電池Ａ６）
本発明の電池Ａ６は、本発明の電池Ａ３で用いた交差スリット２５に替えて、本発明の電池Ａ４および電池Ａ５で採用した屈曲スリット２５′をシート２３に形成したものであり、これ以外の仕様は電池Ａ３と変わらない。
【００６７】
（比較例の電池Ｂ１）
比較例の電池Ｂ１は、図６に示した本発明例の電池Ａ３において、図６で示す寸法ｈを０．０ｍｍとした電池であり、天面２１ｃとシート２３との間には、設計上、シート２３と蓋７とを接合する粘着剤層の厚みに相当する間隙が存在する。但し、粘着剤層の厚みは前記したように、２０μｍであり、片２５ｃか下方に撓んで、スリット２５ａが開くに十分な厚みではない。
【００６８】
（比較例の電池Ｂ２）
比較例の電池Ｂ２は、前記した比較例の電池Ｂ１において、シート２３に形成する交差スリット２５を、本発明の電池Ａ４、電池Ａ５および電池Ａ６で用いた屈曲スリット２５′に変えたものであり、それ以外の構成は比較例の電池Ｂ１にかわらない。
【００６９】
（比較例の電池Ｃ１）
比較例の電池Ｃ１は、前記した本発明例の電池Ａ１において、シート２３に形成した交差スリット２５を、図８に示した、２本の互いに平行に配置された平行スリット３０に変えたものである。なお、平行スリット３０は、長さ３．０ｍｍのスリットの２本が１．５ｍｍ間隔で平行に配置された構成を有し、２本のスリットに挟まれた領域は、間隙部２６に対応した位置に配置される。電池Ｃ１は、この平行スリット３０以外、本発明の電池Ａ１と変わるとこはない。
【００７０】
（比較例の電池Ｃ２）
比較例の電池Ｃ２は、前記した本発明例の電池Ａ２において、シート２３に形成した交差スリット２５を、図８に示した、２本の互いに平行に配置された平行スリット３０に変えたものである。なお、平行スリット３０は、長さ３．０ｍｍのスリットの２本が１．５ｍｍ間隔で平行に配置された構成を有し、２本のスリットに挟まれた領域は、間隙部２６に対応した位置に配置される。電池Ｃ２は、この平行スリット３０以外、本発明の電池Ａ２と変わるとこはない。
【００７１】
（比較例の電池Ｃ３）
比較例の電池Ｃ３は、前記した本発明例の電池Ａ３において、シート２３に形成した交差スリット２５を、図８に示した、２本の互いに平行に配置された平行スリット３０に変えたものである。なお、平行スリット３０は、長さ３．０ｍｍのスリットの２本が１．５ｍｍ間隔で平行に配置された構成を有し、２本のスリットに挟まれた領域は、間隙部２６に対応した位置に配置される。電池Ｃ３は、この平行スリット３０以外、本発明の電池Ａ３と変わるとこはない。
【００７２】
（比較例の電池Ｄ１）
比較例の電池Ｄ１は、前記した比較例の電池Ｂ１において、シート２３に形成した交差スリット２５を、図８に示した、２本の互いに平行に配置された平行スリット３０に変えたものである。なお、平行スリット３０は、長さ３．０ｍｍのスリットの２本が１．５ｍｍ間隔で平行に配置された構成を有し、２本のスリットに挟まれた領域は、間隙部２６に対応した位置に配置される。電池Ｄ１は、この平行スリット３０以外、比較例の電池Ｂ１と変わるとこはない。
【００７３】
上記した各電池の仕様を表１に示す。
【００７４】
【表１】
2010267507.tif 000003
【００７５】
表１に示した各電池を６０℃の温度雰囲気下で、充電電圧１５．０Ｖ（最大充電電流２５Ａ）で２０００時間連続充電する間、１Ｇ（３０Ｈｚ）の加速度で上下方向に振動を加えた。この操作は、各電池を意図的に過充電させ、液口栓２１に設けた排気孔２２の周囲に意図的に水蒸気のミストを付着させ、液口栓２１とシート２３とが、ミストが結露して生じる水分によって容易に貼り付きやすい状態とするために行なった。
【００７６】
次に、上記の過充電操作を行なった各電池を、６０℃の恒温槽（湿度０ＲＨ％）に１６８時間放置した。その後、各電池を４．８Ａの定電流で充電したときの、電池内圧の最大値と電槽の変形状態を確認した。本試験では、充電によって電池内部でガスを故意に発生させ、そのときの電池内圧上昇によってシートと蓋の貼り付き状態を評価する。ガス発生に伴って、電池内圧が上昇する場合には、シートと蓋とが密着し、電池内部のガスが電池外部に排出できない状態に陥っていることがわかる。一方、電池内圧上昇が電槽変形を引き起こすようなレベルまで上昇しないときには、シートと蓋間に、電池内部のガスが電池外部に排出する経路が確保されており、安全上、問題のないことが確認できる。
【００７７】
その結果、すべての電池において、電池内圧上昇が見られるものの、大気圧（１０１．３２５ｋＰａ）から１０ｋＰａ〜２０ｋＰａまで内圧が上昇した時点で、電池内のガスが各スリットが開いて、内圧が大気圧まで低下した。また、各電池とも、電池の使用にあたって障害となるような、内圧による隔壁や電槽の変形は認められなかった。
【００７８】
次に、各電池を、２５℃の室温に２４時間放置したときの、電池内圧の最小値と各セルの液面状態を確認した。本試験では、電池温度を高温から常温に変化させることによって、電池内部に存在する気体の体積を減少させることにより、電池内圧を大気圧より減圧した状態とし、その時の、シート２３と蓋７の貼り付きによる電池内圧の減圧状態と各セルの液面状態を評価する。なお、このような試験は、エンジン車両を使用した後、車両を駐車するような使用モードや、鉛蓄電池の製造工程において、鉛蓄電池を化成充電してから、エンドユーザが鉛蓄電池を使用し始めるまでの充電放置を想定したものであって、鉛蓄電池の製造工程や、その使用モードにおいて回避できない形態である。
【００７９】
上記の２５℃にて２４時間放置した後の各電池を構成する６個のセル室の内圧の最大値と最小値およびセル室間の隔壁の変形の有無およびセル間の液面差を計測した。その結果を表２に示す。なお、表２において、セル内圧は、実際の内圧から測定時の大気圧を差し引いた値で示している。したがって、セル内圧が０ｋＰａである場合は、セル内圧は大気圧と等しく、０ｋＰａを超える場合、セル内圧は大気圧に対して加圧状態にあり、０ｋＰａ未満のマイナス値である場合、セル内圧は大気圧に対して減圧状態にあることがわかる。
【００８０】
【表２】
2010267507.tif 000004
【００８１】
表２に示した結果から、比較例の電池においては、充電後の放置で電池が常温まで冷却した場合、セル内圧は大気圧よりも減圧状態となるとともに、セル間で減圧状態に差が生じ、その結果として隔壁に変形が生じてセルの内容積にセル間の差が発生して、電解液面に大幅な差が生じた。本実施例においては、初期の電解液面を上限線に調整したため、セルによっては、電解液面が上限線を大幅に超えているものが発生した。このような電池では、充電や振動によって、容易に電解液が漏液する。
【００８２】
また、本実施例では、初期の電解液面を上限線に調整したが、下限線に調整した場合には、比較例の電池に電解液面が下限線を大幅に下回る電池が発生した。下限線は、本実施例において、および広く知られているように、負極ストラップの上面よりも上の位置に設定されている。これは負極ストラップが電解液面より露出して腐食断線することを防止するためである。したがって、比較例の電池においては、電解液面が下限線を大幅に下回った場合、負極ストラップが電解液から露出したり、さらには負極板が電解液面より露出した状態となっていた。このような現象は、前記した負極ストラップの腐食や、負極板の酸化劣化による電池の容量低下といった不具合を発生させる。
【００８３】
一方、本発明例の電池は、セルが減圧状態とならず、結果として、減圧状態での内圧ばらつきと、これに起因する隔壁の変形および電解液面の変動が抑制されている。
【００８４】
すなわち、スリットを交差させる、あるいは屈曲させることによって、シートに片を形成し、この片が下方に撓み変形できる間隙部を形成することにより、セル内圧が低下した場合には、片が下方に撓み変形してスリットが開き、セルの減圧と、減圧から生じる前記した不具合を解消できるという、顕著な効果が得られる。
【００８５】
シートに片を形成した場合でも、片が下方に撓み変形できる間隙部が存在しない場合、本発明の効果を得ることはできない。
【００８６】
また、下方に撓み変形できる間隙部を設けても、平行スリットや単一スリットといった、片を形成しないスリットの場合、減圧によってもスリットは開かず、本発明の効果は得られない。
【００８７】
本実施例においては、負極ストラップおよび正極ストラップにアンチモンの含有量が、不可避不純物レベルにまで制限された鉛−スズ合金を用いたが、この鉛−スズ合金に替えて、従来からストラップ合金として広く使用されている、鉛−アンチモン（−砒素）系合金を用いることができ、この合金のストラップへの使用によって、前記した本発明の効果を損なうことはないことを別途の実験により確認した。
【００８８】
ただし、鉛−アンチモン系合金を正負のストラップ合金とした場合、実施例の各電池に比較して、減液量が２０％〜５０％程度増大する。そして、シートで排気孔を覆うように構成する主目的が、減液の抑制にあることからすると、前記した実施例で示したように、正負のストラップに、アンチモン含有量が０．００１質量％以下の、減液量の増大に寄与することがない、不可避不純物レベルまで制限された鉛合金を用いることいが好ましいことは自明である。
【産業上の利用可能性】
【００８９】
本発明は、始動用鉛蓄電池をはじめとする、各種用途の液式の鉛蓄電池に適用することができる。
【符号の説明】
【００９０】
１、１′  鉛蓄電池
２        正極板
３        負極板
４        セパレータ
５        電解液
６        電槽
６ａ      セル室
６ｂ      隔壁
７        蓋
７ａ      液口
７ｂ      貼り合せ面
８        極板群
９        正極ストラップ
１０      負極ストラップ
１１      端子
１２      極柱
１３      接続体
２１      液口栓
２１ａ    防沫体
２１ｂ    フィルタ
２１ｃ    天面
２１ｄ、２１′ｄ  陥没部
２２      排気孔
２３      シート
２３ａ、２３′ａ、２３″ａ  非接合部
２５      交差スリット
２５′    屈曲スリット
２５ａ    スリット
２５ｃ    片
２５′ｃ  片
２６      間隙部
３０      平行スリット
【図１】
2010267507.tif 000005
【図２】
2010267507.tif 000006
【図３】
2010267507.tif 000007
【図４】
2010267507.tif 000008
【図５】
2010267507.tif 000009
【図６】
2010267507.tif 000010
【図７】
2010267507.tif 000011
【図８】
2010267507.tif 000012